(57)【要約】【課題】  配線を確実に支持することができる保持具、保持具固定具、及び配線支持具を提供することを課題とする。【解決手段】  配線支持具１は、配線Ｗを所定の固定対象９に対して固定するための配線支持具１であって、前記配線Ｗを保持するための保持部３と、前記固定対象９又は該固定対象９が固定されているベース部Ｂに対して固定される被固定部４と、を有する保持具２と、前記被固定部４を前記固定対象９又は前記ベース部Ｂに対して固定するため保持具固定具６と、を備え、前記保持部３は、前記被固定部４が前記固定対象９又は前記ベース部Ｂに固定されることで前記固定対象９に対して位置固定され、且つ前記位置固定された状態で、前記配線Ｗが前記固定対象９に対して長手方向に移動するのを規制すべく前記配線Ｗを保持するように構成され、前記保持具固定具６は、前記被固定部４と前記固定対象９又は前記ベース部Ｂとを重ねて挟持する挟持部６０を備える。【選択図】図１０
2018133893.tif 000002
【特許請求の範囲】
【請求項１】
配線を所定の固定対象に対して固定するための保持具であって、前記配線を保持するための保持部と、前記固定対象又は該固定対象が固定されているベース部に対して固定される被固定部と、を備え、
前記保持部は、前記被固定部が前記固定対象又は前記ベース部に固定されることで前記固定対象に対して位置固定され、且つ前記位置固定された状態で、前記配線が前記固定対象に対して長手方向に移動するのを規制すべく前記配線を保持するように構成されている保持具。
【請求項２】
前記保持部は、前記被固定部が前記固定対象に固定されることで、前記固定対象に対して位置固定されている請求項１に記載の保持具。
【請求項３】
前記保持部は、対向して配置された一対の把持片と、該一対の把持片を開閉させる把持操作部であって、作業者が保持した状態で前記一対の把持片を開閉可能に構成された把持操作部と、を備えている請求項１又は２に記載の保持具。
【請求項４】
前記固定対象は、前記配線を接続するための接続部と、該接続部を収容する多面体状の筐体であって、前記配線を挿通するための挿通孔が所定の面に形成された筐体と、を備え、
前記保持部は、前記挿通孔に挿通され、前記接続部に接続された配線を前記筐体の外側で保持するように構成され、
前記被固定部は、前記保持部に連結固定され、前記挿通孔が形成された面と同じ面上に固定されるように構成されている請求項１〜３の何れか１項に記載の保持具。
【請求項５】
前記保持部は、対向して配置された一対の把持片を備え、前記被固定部は、前記一対の把持片のうちの少なくとも一方の把持片から、開閉方向外側に延びるように前記保持部に連結固定されている請求項４に記載の保持具。
【請求項６】
請求項１〜５の何れか１項に記載の保持具の前記被固定部を前記固定対象又は前記ベース部に固定するための保持具固定具であって、前記被固定部と前記固定対象又は前記ベース部とを重ねて挟持する挟持部を備える保持具固定具。
【請求項７】
前記挟持部は、前記被固定部と重ね対象としての前記固定対象又は前記ベース部とを重ねて挟持する際に、前記被固定部及び前記重ね対象のうちの少なくとも一方に形成された凹部と嵌合係止するように構成された凸部、及び前記被固定部及び前記重ね対象のうちの少なくとも一方に形成された凸部と嵌合係止するように構成された凹部のうちの少なくとも一方を備えている、請求項６に記載の保持具固定具。
【請求項８】
配線を所定の固定対象に対して固定するための配線支持具であって、前記配線を保持するための保持部と、前記固定対象又は該固定対象が固定されているベース部に対して固定される被固定部と、を有する保持具と、
前記被固定部を前記固定対象又は前記ベース部に対して固定するため保持具固定具と、を備え、
前記保持部は、前記被固定部が前記固定対象又は前記ベース部に固定されることで前記固定対象に対して位置固定され、且つ前記位置固定された状態で、前記配線が前記固定対象に対して長手方向に移動するのを規制すべく前記配線を保持するように構成され、
前記保持具固定具は、前記被固定部と前記固定対象又は前記ベース部とを重ねて挟持する挟持部を備える配線支持具。
【請求項９】
前記保持部は、前記被固定部が前記固定対象に固定され、
前記固定対象は、前記配線を接続するための接続部と、該接続部を収容する多面体状の筐体であって、前記配線を挿通するための挿通孔が所定の面に形成された筐体と、を備え、
前記保持部は、前記挿通孔に挿通され、前記接続部に接続された配線を前記筐体の外側で保持するように構成され、
前記保持具固定具は、前記被固定部を、前記配線の挿通方向における端子側に向けて付勢して前記筐体に対して固定するように構成されている、請求項８に記載の配線支持具。
【発明の詳細な説明】
【技術分野】
【０００１】
本発明は、配線を所定の固定対象に対して固定するための保持具、保持具固定具、及び配線支持具に関する。
【背景技術】
【０００２】
従来から、高圧配電線から変圧器に引き込まれる電線である引下線は、変圧器を過電流から保護するために、カットアウトを介して変圧器に接続される。カットアウトは、前面に開口部を有すると共に、側面に電線挿入孔を有する直方体状のカットアウト本体と、該カットアウト本体の開口部を開閉する蓋と、該カットアウト本体内に設けられた端子とを備える。引下線は、電線挿入孔からカットアウト内に挿入され、前記端子に対してビス止めによって接続される（特許文献１）。
【０００３】
カットアウトから外へ延出した引下線に対して、例えば、カットアウト周辺での作業時に、目印としてジャバラポリ管が取り付けられることがある。引下線は、カットアウトの端子にビス止めされているので、引下線と端子との接続が十分でない場合がある。この場合、上記のような取り付け作業の際に引下線が引っ張られると、引下線が端子から外れてカットアウトから抜けてしまう虞があり、停電を招く虞がある。引下線の抜け防止のために、作業前にカットアウトの蓋を開け、ビスの増し締めによって引下線と端子との接続を強固にすることも考えられるが、カットアウトの蓋を開ける作業には停電が伴うため、ビスの増し締めは困難である。
【０００４】
そのため、作業者は、例えば、カットアウトから延出した引下線の根元を、間接活線工具で端子から外れないように支持しながら作業を行っている。
【先行技術文献】
【特許文献】
【０００５】
【特許文献１】特開２０１３−３７９９４号公報
【発明の概要】
【発明が解決しようとする課題】
【０００６】
上記のような作業では、引下線の根元を支持する作業者の手元が不用意に動いて引下線を引っ張ってしまうことで、引下線が端子から外れカットアウトから抜けてしまう虞があり、引下線の支持としては信頼性が低い。
【０００７】
このような問題は、カットアウトに限られず、例えば、配電用又は通信用の端子台などのように、電線やケーブルが端子台から抜けるのを防止する場合にも同様に起こり得る。
【０００８】
また、電線や配線ケーブルを固定対象に仮固定するような場合、例えば、高圧配電線から切り離された引下線を腕金等に仮固定するような場合に、引下線の支持が十分でないと、仮固定した引下線がぶらつき、又は腕金から落下し、周辺の充電部位に接触するなど危険であるという問題もある。
【０００９】
そこで、本発明は、かかる実情に鑑み、配線を確実に支持することができる保持具、保持具固定具、及び配線支持具を提供することを課題とする。
【課題を解決するための手段】
【００１０】
本発明に係る保持具は、配線を所定の固定対象に対して固定するための保持具であって、前記配線を保持するための保持部と、前記固定対象又は該固定対象が固定されているベース部に対して固定される被固定部と、を備え、前記保持部は、前記被固定部が前記固定対象又は前記ベース部に固定されることで前記固定対象に対して位置固定され、且つ前記位置固定された状態で、前記配線が前記固定対象に対して長手方向に移動するのを規制すべく前記配線を保持するように構成されている。
【００１１】
かかる構成によれば、保持部は、被固定部が固定対象又はベース部に固定されることで固定対象に対して位置固定されるように構成されているので、被固定部が固定対象又はベース部に固定されると、保持部と固定対象との位置関係が決まった状態で維持される。そして、保持部は、前記位置固定された状態で、配線が固定対象に対して長手方向に移動するのを規制すべく配線を保持するように構成されている。そのため、配線が保持部に保持されると、配線の長手方向の移動が規制されるので、配線を固定対象に対して動かない状態で拘束することができ、配線が固定対象から外れるのを防止することができる。
【００１２】
本発明の一態様として、前記保持部は、前記被固定部が前記固定対象に固定されることで、前記固定対象に対して位置固定されてもよい。
【００１３】
かかる構成によれば、保持部は、被固定部が固定対象に固定されることで該固定対象に対して位置固定されるので、ベース部という固定対象とは別の箇所に被固定部が固定される場合に比べて保持具をコンパクトに形成することができる。
【００１４】
本発明の他態様として、前記保持部は、対向して配置された一対の把持片と、該一対の把持片を開閉させる把持操作部であって、作業者が保持した状態で前記一対の把持片を開閉可能に構成された把持操作部と、を備えていてもよい。
【００１５】
かかる構成によれば、作業者は、直接、又は間接活線工具によって把持操作部を保持した状態で一対の把持片を開状態にして配線の径方向から該配線に対して保持部をアプローチさせ、続いて、一対の把持片の間に配線を位置させた状態で一対の把持片を閉状態とすることで、保持部に配線を保持させることができる。そのため、上記構成の保持具は、配線に対して保持部を取り付け易いものとなっている。
【００１６】
本発明の別の態様として、前記固定対象は、前記配線を接続するための接続部と、該接続部を収容する多面体状の筐体であって、前記配線を挿通するための挿通孔が所定の面に形成された筐体と、を備え、前記保持部は、前記挿通孔に挿通され、前記接続部に接続された配線を前記筐体の外側で保持するように構成され、前記被固定部は、前記保持部に連結固定され、前記挿通孔が形成された面と同じ面上に固定されるように構成されてもよい。
【００１７】
かかる構成によれば、保持部は、配線を筐体の外側で保持するように構成され、被固定部は、保持部に連結固定され、配線が挿通された挿通孔が形成された面と同じ面上に固定されるように構成されている。そのため、配線が引っ張られる方向と被固定部の固定面とが交差した状態となるので、配線が引っ張られる力に対して固定力を効果的に発揮して、引っ張り力に抗することができる。
【００１８】
この場合、前記保持部は、対向して配置された一対の把持片を備え、前記被固定部は、前記一対の把持片のうちの少なくとも一方の把持片から、開閉方向外側に延びるように前記保持部に連結固定されていてもよい。
【００１９】
かかる構成によれば、前記被固定部は、一対の把持片のうちの少なくとも一方の把持片から、開閉方向外側に向かって延びているので、一対の把持片の開閉に伴って被固定部が移動し、且つ該移動が、保持部による配線の保持を邪魔しないようになっている。そのため、上記構成の保持具は、配線に取り付け易い。
【００２０】
本発明に係る保持具固定具は、上記の保持具の前記被固定部を前記固定対象又は前記ベース部に固定するための保持具固定具であって、前記被固定部と前記固定対象又は前記ベース部とを重ねて挟持する挟持部を備える。
【００２１】
かかる構成によれば、保持具固定具は、被固定部と固定対象又はベース部とを重ねて挟持する挟持部を備え、被固定部を固定対象又はベース部に固定することができる。そのため、保持具とは別体の保持具固定具によって被固定部を固定対象又はベース部に固定することができるので、保持具自体に固定手段を設ける必要がなく、保持具をシンプルな構造にすることができる。
【００２２】
本発明の一態様として、前記挟持部は、前記被固定部と重ね対象としての前記固定対象又は前記ベース部とを重ねて挟持する際に、前記被固定部及び前記重ね対象のうちの少なくとも一方に形成された凹部と嵌合係止するように構成された凸部、及び前記被固定部及び前記重ね対象のうちの少なくとも一方に形成された凸部と嵌合係止するように構成された凹部のうちの少なくとも一方を備えていてもよい。
【００２３】
かかる構成によれば、被固定部と重ね対象としての固定対象又はベース部とを重ねて挟持する際に、挟持部の凸部又は凹部が、被固定部、及び重ね対象のうちの少なくとも一方に形成された凹部又は凸部に対して嵌合係止するので、保持具固定具が被固定部及び重ね対象から脱落し難くなっている。
【００２４】
本発明に係る配線支持具は、配線を所定の固定対象に対して固定するための配線支持具であって、前記配線を保持するための保持部と、前記固定対象又は該固定対象が固定されているベース部に対して固定される被固定部と、を有する保持具と、前記被固定部を前記固定対象又は前記ベース部に対して固定するため保持具固定具と、を備え、前記保持部は、前記被固定部が前記固定対象又は前記ベース部に固定されることで前記固定対象に対して位置固定され、且つ前記位置固定された状態で、前記配線が前記固定対象に対して長手方向に移動するのを規制すべく前記配線を保持するように構成され、前記保持具固定具は、前記被固定部と前記固定対象又は前記ベース部とを重ねて挟持する挟持部を備える。
【００２５】
本発明の一態様として、前記保持部は、前記被固定部が前記固定対象に固定され、前記固定対象は、前記配線を接続するための接続部と、該接続部を収容する多面体状の筐体であって、前記配線を挿通するための挿通孔が所定の面に形成された筐体と、を備え、前記保持部は、前記挿通孔に挿通され、前記接続部に接続された配線を前記筐体の外側で保持するように構成され、前記保持具固定具は、前記被固定部を、前記配線の挿通方向における端子側に向けて付勢して前記筐体に対して固定するように構成されていてもよい。
【００２６】
かかる構成によれば、被固定部は、挿通方向における端子側に向けて付勢された状態で筐体に対して固定されるので、配線が引っ張られる方向とは逆向きに付勢された状態となっている。そのため、上記構成の配線支持具は、配線が引っ張られる力に対して逆向きに作用する付勢力（固定力）によって、引っ張り力に抗する力を効果的に発揮させることができる。
【発明の効果】
【００２７】
以上より、本発明によれば、配線を確実に支持することができる保持具、保持具固定具、及び配線支持具を提供することを提供することができる。
【図面の簡単な説明】
【００２８】
【図１】本発明の一実施形態に係る第１保持具の正面図である。
【図２】同実施形態に係る第１保持具を開いた状態の正面図である。
【図３】同実施形態に係る第１保持具の側面図である。
【図４】同実施形態に係る第２保持具の正面図である。
【図５】同実施形態に係る保持具固定具の正面図である。
【図６】同実施形態に係る保持具固定具の側面図である。
【図７】カットアウトの側面図である。
【図８】カットアウトに第２保持具を取り付けた状態のカットアウトの側面図である。
【図９】カットアウトに第１保持具及び第２保持具を取り付けた状態のカットアウトの側面図である。
【図１０】第１保持具及び第２保持具を保持具固定具でカットアウトに固定した状態のカットアウトの側面図である。
【図１１】同状態における正面図である。
【図１２】同状態における保持具固定具とカットアウトとの嵌合係止状態を説明するための図である。
【図１３】同実施形態に係る配線支持具の他の使用態様である。
【発明を実施するための形態】
【００２９】
以下、本発明の一実施形態に係る配線支持具について、図面を参照しつつ説明する。
【００３０】
配線支持具は、配線を所定の固定対象に対して固定するために使用される。
【００３１】
本実施形態では、配線としての引下線を、固定対象としてのカットアウトに対して固定する場合について説明する。しかしながら、配線は引下線に限定されるものではなく、架線等の電線や通信用ケーブル等であってもよい。また、固定対象としては、カットアウトに限定されるものではなく、電線を接続するための端子台や通信用ケーブルを接続するための配電盤等であってもよい。
【００３２】
まず、カットアウトについて説明する。図７及び図１１に示すように、カットアウト９は、引下線Ｗを接続するための接続部（図示しない）と、該接続部を収容する多面体状の筐体９２であって、引下線Ｗを挿通するための挿通孔Ｃが所定の面に形成された筐体９２とを備える。カットアウト９は、例えば、ベース部Ｂとしての腕金Ｂに固定されている。本実施形態のカットアウト９は、高さ方向が横方向より長い直方体状に形成され、高さ方向が上下方向となるように固定金具を介して腕金Ｂに固定されている。カットアウト９は、例えば、腕金Ｂに対して斜めに傾斜するように固定されている。
【００３３】
接続部は、端子部と、該端子部に対して引下線Ｗの端部を固定するためのビスとを有する。即ち、引下線Ｗは、端子部に対してビス止めされている。筐体９２は、開口部９２０（図１１参照）を有する筐体本体９２３と、該開口部９２０を開閉させる蓋部９２２とを備える。筐体９２は、開口部９２０が形成された側を前面側として腕金Ｂに固定される。筐体本体９２３の一対の側面９２１には、後述する保持具固定具６の凸部６１１が嵌合係止する凹部９０１（図７及び図１１参照）が形成されている。本実施形態では、一対の側面９２１には、筐体９２の前面から後面に向かってハの字状に広がる一対の突起片９０が形成され、該一対の突起片９０同士の間が凹部９０１となっている。筐体９２は、表面が滑らかな絶縁性材料（陶器）で形成されている。
【００３４】
挿通孔Ｃは、一対の側面９２１のそれぞれに形成されている。挿通孔Ｃは、高さ方向における側面９２１の両端近傍に形成されている。具体的には、挿通孔Ｃは上下に二つ形成されている。本実施形態では、一対の側面９２１のうちの一方の側面９２１ａ（右側面９２１ａ）に形成された各挿通孔Ｃから引下線Ｗが筐体９２内に挿通されている場合について説明する。
【００３５】
配線支持具１は、図１０に示すように、引下線Ｗを保持するための保持部３と、カットアウト９に対して固定される被固定部４と、を有する保持具２と、被固定部４をカットアウト９に対して固定するため保持具固定具６と、を備える。本実施形態では、配線支持具１は、保持具２として、図１に示すように、被固定部４が保持部３の右側から延出するように構成された第１保持具２ａと、図４に示すように、被固定部４が保持部３の左側から延出するように構成された第２保持具２ｂとを備える。第１保持具２ａと第２保持具２ｂとは、被固定部４が延出する方向が異なる以外は共通するため、以下、保持具２として説明する。
【００３６】
保持部３は、被固定部４がカットアウト９に固定されることでカットアウト９に対して位置固定され、且つ前記位置固定された状態で、引下線Ｗがカットアウト９に対して長手方向に移動するのを規制すべく引下線Ｗを保持するように構成されている。保持部３は、カットアウト９の挿通孔Ｃに挿通され、カットアウト９の接続部に接続された引下線Ｗを筐体９２の外側で保持するように構成されている。また、本実施形態の保持部３は、被固定部４に連結固定されている。
【００３７】
保持部３は、引下線Ｗを把持するように構成されている。具体的には、図１〜図３に示すように、保持部３は、引下線Ｗを把持する把持部３０と、該把持部３０を操作するための把持操作部３２と、把持部３０と把持操作部３２とを連結するアーム部３３とを備える。本実施形態の保持部３は、引下線Ｗを挟持するように構成されている。即ち、把持部３０は、対向して配置された一対の把持片３１を備える。保持部３は、一対の把持片３１を閉じる方向に付勢する把持付勢部３４を更に備える。本実施形態の保持部３は、一対の把持片３１で引下線Ｗを挟持するクリップ状に形成されている。即ち、保持部３は、一対の保持クリップ片３００によって構成されている。以下、一対の保持クリップ片３００のうちの被固定部４が連結される側の（図１における右側、又は図４における左側に位置する）保持クリップ片３００を一方の保持クリップ片３００ａと称し、被固定部４が連結されていない側の保持クリップ片３００を他方の保持クリップ片３００ｂと称する。これに伴い、一方の保持クリップ片３００ａの構成要素については符号ａを付し、他方の保持クリップ片３００ｂの構成要素については符号ｂを付するものとする。また、把持部３０側を先端側、把持操作部３２側を基端側とする。
【００３８】
把持部３０は、通常状態（把持操作部３２が操作されていない状態）では、図１に示すように一対の把持片３１が閉じた閉状態となっている。把持部３０は、把持操作部３２が操作されることで、図２に示すように、一対の把持片３１同士が離間した離間状態となる。把持部３０には、一対の把持片３１同士の間に、引下線Ｗを配置するための配置領域Ｑが形成されている。
【００３９】
各把持片３１には、一対の把持片３１で引下線Ｗを挟持した際に、該引下線Ｗが長手方向に移動するのを規制する規制部３０１が設けられている。
【００４０】
規制部３０１は、引下線Ｗの外周面と当接する当接部３０２と、対向する（対峙する）規制部３０１側へ突出する突出片３０３とを備える。当接部３０２の表面には、引下線Ｗに対して滑るのを防止する滑り止め手段３０４が設けられている。具体的には、当接部３０２の表面は、凹凸形状となっている。突出片３０３は、一対の把持片３１が閉状態にあるときに、対向する把持片３１に到達する長さで形成されている。図３に示すように、一方の突出片３０３ａと他方の突出片３０３ｂとは、一対の把持片３１が閉状態にあるときに、保持部３の厚み方向で重なった状態となっている。規制部３０１は、引下線Ｗに対する摩擦力を発揮するような材料（引下線Ｗが滑り難い）で形成されている。例えば、規制部３０１は、ゴム等の樹脂材料によって形成されている。
【００４１】
また、図８〜図１０に示すように、一対の把持片３１が引下線Ｗを把持した状態で、一方の突出片３０３ａと他方の突出片３０３ｂとは厚み方向で重なった状態となる。そのため、一対の突出片３０３がストッパーとなって、引下線Ｗが一対の把持片３１から抜け難くなっている。
【００４２】
図１及び図２に示すように、把持操作部３２は、作業者が保持可能に構成されている。即ち、把持操作部３２は、作業者が直接、又は間接活線工具を介して把持部３０を操作できるように構成されている。また、把持操作部３２は、一対の把持片３１を開閉可能に構成されている。本実施形態では、把持操作部３２は、間接活線工具（例えばヤットコ）によって把持可能に構成されている。把持操作部３２は、対向して配置された一対の操作片３２１を有する。各操作片３２１ａ，３２１ｂには、ヤットコの先端を配置させるための凹部３２０ａ，３２０ｂが形成されている。また、凹部３２０ａ，３２０ｂの底部には、ヤットコの把持面が滑るのを防止するための滑り止用の凹凸３２２ａ，３２２ｂが形成されている。
【００４３】
アーム部３３は、把持部３０と把持操作部３２とを連結する部分である。アーム部３３は、対向して配置された一対のアーム３３１を備える。一対のアーム３３１のうちの一方のアーム３３１ａは、一方の把持片３１ａ及び一方の操作片３２１ａを連結している。他方のアーム３３１ｂは、他方の把持片３１ｂ及び他方の操作片３２１ｂを連結している。
【００４４】
即ち、把持片３１、アーム３３１、及び操作片３２１は、保持クリップ片３００を構成している。保持部３は、一対の保持クリップ片３００が対向して配置されることで構成されている。一対の保持クリップ片３００は、回動軸５を介して互いに回動可能に連結されることで、先端同士が接離可能に構成されている。
【００４５】
把持付勢部３４は、一対の把持片３１の先端同士が当接するように、一対の把持片３１を閉方向に付勢している。本実施形態の把持付勢部３４は、コイル状に形成された一般的なねじりバネである。把持付勢部３４は、回動軸５に取り付けられている。
【００４６】
被固定部４は、保持部３に連結固定されている。被固定部４は、一対の把持片３１のうちの少なくとも一方の把持片３１ａから、開閉方向外側（側方）に延びるように保持部３に連結固定されている。本実施形態では、被固定部４は、一方の把持片３１ａに連結固定されている。被固定部４は、少なくとも一方の把持片３１ａの外面３１０ａよりも外側へ延出している。本実施形態では、被固定部４は、一方の把持片３１ａの外面３１０ａ及び一方のアーム３３１ａの外面３３０ａよりも外側へ延出している。
【００４７】
被固定部４は、カットアウト９の挿通孔Ｃが形成された面と同じ面上に固定されるように構成されている。本実施形態の被固定部４は、板状に形成されている。被固定部４は、平行四辺形状に近い略矩形状に形成されている。被固定部４は、４辺のうちの１辺が把持片３１及びアーム３３１に固定され、他の３辺が開放されている（他の３辺が保持部３とは非接続状態となっている）。図１及び図２に表れている側を保持具２の表側（被固定部４が重ね合わされた側とは反対側）とすると、被固定部４は、表面が保持部３の裏面に対して重ね合わされた状態で保持部３に連結固定されている。具体的には、被固定部４は、把持片３１及びアーム３３１に重ね合わされた状態で保持部３に対して連結固定されている。この構成により、保持具２をカットアウト９の側面９２１に当接させた場合に、被固定部４の裏面の全面が側面９２１に当接するので、保持具２を側面９２１に対して安定して固定することができる。被固定部４は、３辺のうちの対向する２辺（第１辺部４１、及び第２辺部４２とする）が平行となるように形成されている。
【００４８】
図１に示すように、保持部３は、被固定部４に対して傾斜するように連結されている。具体的には、一対の把持片３１が閉状態にあるときに、保持部３の中心線Ｏ（一対の保持クリップ片３００の対称線Ｏ）が第１辺部４１及び第２辺部４２に対して傾斜している。即ち、被固定部４側を保持具２の内側とすると、保持部３は、把持部３０が把持操作部３２よりも内側に位置するように傾斜している。この構成により、第１保持具２ａ及び第２保持具２ｂをカットアウト９に固定する固定作業の際に、第１保持具２ａの保持部３と第２保持具２ｂの保持部３とが、把持操作部３２同士が離れるようにハの字状に配置されるので、把持操作部３２同士の距離を取ることができる。そのため、間接活線工具で把持操作部３２を操作する際に、互いの把持操作部３２が邪魔になりにくく、作業性がよい。
【００４９】
保持具固定具６は、保持具２の被固定部４をカットアウト９に固定するためのものである。図５及び図６に示すように、保持具固定具６は、被固定部４とカットアウト９とを重ねて挟持する挟持部６０と、該挟持部６０を操作するための挟持操作部６３と、挟持部６０と挟持操作部６３とを連結する連結部６２とを備える。挟持部６０は、対向して配置された一対の挟持片６１を備える。挟持部６０は、一対の挟持片６１を閉じる方向に付勢する挟持付勢部６４と、一対の挟持片６１が開方向に離間しないようにロックする開ロック機構６５と、を更に備える。本実施形態の挟持部６０は、一対の挟持片６１で被固定部４とカットアウト９とを重ねて挟持するクリップ状に形成されている。即ち、保持具固定具６は、一対の固定クリップ片６００によって構成されている。以下、一対の固定クリップ片６００のうちの開ロック機構６５が設けられた側の（図５における右側に位置する）固定クリップ片６００を一方の固定クリップ片６００ａと称し、開ロック機構６５が設けられていない側の固定クリップ片６００を他方の固定クリップ片６００ｂと称する。これに伴い、一方の固定クリップ片６００ａの構成要素については符号ａを付し、他方の固定クリップ片６００ｂの構成要素については符号ｂを付するものとする。また、挟持部６０側を先端側、挟持操作部６３側を基端側とする。
【００５０】
挟持部６０は、被固定部４と重ね対象としてのカットアウト９又は腕金Ｂとを重ねて挟持する際に、被固定部４及び重ね対象のうちの少なくとも一方に形成された凹部と嵌合係止するように構成された凸部６１１、及び被固定部４及び重ね対象のうちの少なくとも一方に形成された凸部と嵌合係止するように構成された凹部のうちの少なくとも一方を備えている。本実施形態では、挟持部６０は、一対の挟持片６１の先端に凸部６１１を備え、カットアウト９に形成された凹部９０１（図７参照）に対して嵌合係止するように構成されている。凸部６１１は、カットアウト９の筐体９２表面に対して滑り難いゴム等の樹脂材料によって形成されている。
【００５１】
本実施形態では、挟持部６０は、通常状態（挟持操作部６３が操作されていない状態）では、図５に示すように一対の挟持片６１が離間した開状態となっている。挟持部６０は、挟持操作部６３が操作されることで、図５の状態から更に開くように構成されている。
【００５２】
挟持操作部６３は、作業者が保持可能に構成されている。即ち、挟持操作部６３は、作業者が直接、又は間接活線工具を介して挟持部６０を操作できるように構成されている。また、挟持操作部６３は、一対の挟持片６１を開閉可能に構成されている。本実施形態では、挟持操作部６３は、間接活線工具（例えばヤットコ）によって把持可能に構成されている。即ち、挟持操作部６３は、対向して配置された一対の挟持操作片６３１を有する。各挟持操作片６３１ａ，６３１ｂには、ヤットコの先端を配置させるための凹部６３０ａ，６３０ｂが形成されている。また、凹部６３０ａ，６３０ｂの底部には、ヤットコの把持面が滑るのを防止するための滑り止用の凹凸６３２ａ，６３２ｂが形成されている。
【００５３】
連結部６２は、挟持部６０と挟持操作部６３とを連結する部分である。連結部６２は、対向する一対の連結片６２１を備える。一対の連結片６２１のうちの一方の連結片６２１ａは、一方の挟持片６１ａ及び一方の挟持操作片６３１ａを連結している。他方の連結片６２１ｂは、他方の挟持片６１ｂ及び他方の挟持操作片６３１ｂを連結している。
【００５４】
即ち、挟持片６１、連結片６２１、及び挟持操作片６３１は、固定クリップ片６００を構成している。保持具固定具６は、一対の固定クリップ片６００が対向して配置されることで構成されている。一対の固定クリップ片６００は、回動軸７を介して互いに回動可能に連結されることで、先端同士が接離可能に構成されている。
【００５５】
挟持付勢部６４は、一対の挟持片６１の先端同士が当接するように、一対の挟持片６１を閉方向に付勢している。本実施形態の挟持付勢部６４は、コイル状に形成された一般的なねじりバネである。挟持付勢部６４は、回動軸７に取り付けられている。
【００５６】
開ロック機構６５は、一方の挟持操作片６３１ａに固定された第１爪部６５１と、他方の挟持操作片６３１ｂに固定され、第１爪部６５１と噛み合うように構成された第２爪部６５２とを備える。開ロック機構６５は、一対の挟持片６１が開いた状態で第１爪部６５１が第２爪部６５２に対して噛み合うことで、一対の挟持片６１が開方向に離間するのを規制する。具体的には、開ロック機構６５は、挟持付勢部６４が一対の挟持片６１を閉方向に付勢する付勢力を発揮させつつ、一対の挟持片６１が開方向に離間するのを規制するように構成されている。即ち、開ロック機構６５は、保持具固定具６が保持具２とカットアウト９とを重ねて挟持した状態で一対の挟持片６１が開かないようにすることで、保持具固定具６が保持具２及びカットアウト９から脱落するのを防止している。
【００５７】
本実施形態に係る配線支持具１の説明は以上である。以下、本実施形態に係る配線支持具１の使用方法について説明する。
【００５８】
カットアウト９に引下線Ｗが引き込まれるパターンとして、例えば、一方の側面９２１ａに対して上下各挿通孔Ｃに引下線Ｗが挿通されている第１のパターン（図７〜図１１のパターン）と、一方の側面９２１ａの下側挿通孔Ｃ、及び他方の側面９２１ｂの上側挿通孔Ｃに引下線Ｗが挿通されている第２のパターン（図１３のパターン）の２種類がある。作業対象となるカットアウト９が何れのパターンで引下線Ｗと接続されているか予め確認しておくことも可能であるが、現場の状況に応じて作業を行わなければならない場合が多い。本実施形態に係る配線支持具１は、作業者が、２つの保持具２（本実施形態では第１保持具２ａ、及び第２保持具２ｂ）、及び保持具固定具６を準備するだけで、第１のパターン及び第２のパターンの双方に対して作業することができ、現場の状況に柔軟に対応できるものとなっている。
【００５９】
まず、引き込みパターンが第１のパターンであるときに配線支持具１をカットアウト９に取り付ける手順について説明する。
【００６０】
作業者は、保持具２（図８では第２保持具２ｂ）を、一対の把持片３１が開状態となるように間接活線工具で保持する。作業者は、一対の把持片３１を開いたまま保持具２を持ち上げ、引下線Ｗの径方向から接近させる。そして、引下線Ｗが配置領域Ｑに位置するように把持部３０と引下線Ｗとを位置合せし、一対の把持片３１を閉じて引下線Ｗを把持する。この場合、作業者は、把持部３０をカットアウト９に接近させて、挿通孔Ｃから延出する引下線Ｗの出来るだけ根元を把持部３０で把持し、被固定部４がカットアウト９の側面９２１ａに対して出来るだけ接近して沿うように被固定部４を配置する。尚、この場合、図１１に示すように、被固定部４がカットアウト９の側面９２１ａに当接しているのが好ましい。また、この場合、図８に示すように、保持具２の第２辺部４２と、カットアウト９の端縁Ｆとが略平行となるように保持具２を引下線Ｗに取り付けるが好ましい。
【００６１】
続いて、作業者は、もう一つの保持具２（本実施形態では第１保持具２ａ）を、一対の把持片３１が開状態となるように間接活線工具で保持する。作業者は、一対の把持片３１を開いたまま保持具２を持ち上げ、引下線Ｗの径方向から接近させる。この時、作業者は、先に取り付けられた第２保持具２ｂの被固定部４の上に第１保持具２ａの被固定部４が重なるように、一対の把持片３１で引下線Ｗを把持する。図８及び図９では、第２保持具２ｂが先に取り付けられている。即ち、下側の挿通孔Ｃに挿通された引下線Ｗに対して、カットアウト９の前面側に把持操作部３２が位置するように保持具２が取り付けられている。しかしながら、保持具２は、上側の挿通孔Ｃに挿通された引下線Ｗに対して先に取り付けられてもよいし、カットアウト９の後面側に把持操作部３２が位置するように取り付けられてもよい。カットアウト９の腕金Ｂに対する取り付け態様や、装柱状況に応じて、作業の順番を適宜変更してもよい。
【００６２】
この状態で、作業者は、保持具固定具６を、一対の挟持片６１が開状態となるように間接活線工具で保持する。作業者は、一対の挟持片６１を開いたまま保持具固定具６を持ち上げ、カットアウト９の前面側から接近させる。図９〜図１１に示すように、一方の挟持片６１ａが、第１保持具２ａの被固定部４と第２保持具２ｂの被固定部４との重なり部Ｒ上に位置し、図１２に示すように、他方の挟持片６１ｂの凸部６１１ｂが、カットアウト９の側面９２１ｂに形成された凹部９０１に嵌合係止するように一対の挟持片６１でカットアウト９と２枚の被固定部４とを挟持する。これにより、保持部３は、カットアウト９に対して位置固定された状態となる。２枚の被固定部４は、挟持付勢部６４の付勢力によってカットアウト９の側面９２１ａに対して押し付けられているので、第１保持具２ａ及び第２保持具２ｂは、引下線Ｗの抜け方向とは逆向きの力が作用した状態でカットアウト９に固定されている。その上、開ロック機構６５によって一対の挟持片６１が開方向に離間するのが規制されていると共に、保持部３は、引下線Ｗがカットアウト９に対して長手方向に移動するのを規制すべく引下線Ｗを保持している。そのため、保持具固定具６によって被固定部４とカットアウト９とを重ねて挟持することで、引下線Ｗが抜け方向に引っ張られても、引下線Ｗが保持部３によって長手方向に移動しないように拘束され、且つ引下線Ｗを保持した保持部３が保持具固定具６によってカットアウト９に対して移動しないように拘束されているので、引下線Ｗがカットアウト９から抜け難くなっている。
【００６３】
次に引き込みパターンが第２のパターンであるときに配線支持具１をカットアウト９に取り付ける手順について説明する。
【００６４】
第２のパターンでは、第２保持具２ｂをカットアウト９に取り付ける手順については、第１のパターンと同様である。図１３に示すように、第２保持具２ｂの取り付けが完了したら、作業者は、第１保持具２ａを把持して他方の側面９２１ｂから延出している引下線Ｗに第１保持具２ａを取り付ける。
【００６５】
作業者は、保持具固定具６の一対の挟持片６１のうちの一方の挟持片６１ａが第２保持具２ｂの被固定部４上に位置し、他方の挟持片６１ｂが第１保持具２ａの被固定部４上に位置するように一対の挟持片６１でカットアウト９、第２保持具２ｂ、及び第１保持具２ａを挟む。上記実施形態では、保持具２として第１保持具２ａと第２保持具２ｂとを準備した場合について説明しているので、他方の側面９２１ｂについては、第１保持具２ａをカットアウト９の後面側から引下線Ｗにアプローチさせる。例えば、保持具２をカットアウト９の前面側から引下線Ｗにアプローチさせる方が作業し易い場合には、第２保持具２ｂを２つ用いて、他方の側面９２１ｂについても前面側からアプローチさせてもよい。以上のように、本実施形態の配線支持具１は、引下線Ｗがカットアウト９から互い違いに延出している場合であっても、問題なく取り付けることができる。
【００６６】
以上の作業によって、カットアウト９から延出する引下線Ｗが配線支持具１によってしっかりと抜け止めされるので、引下線Ｗに対する作業、例えば、ジャバラポリ管取り付け作業を安心して行うことができる。
【００６７】
以上のように、上記実施形態では、保持部３は、被固定部４が固定対象９又はベース部Ｂに固定されることで固定対象９に対して位置固定されるように構成されているので、被固定部４が固定対象９又はベース部Ｂに固定されると、保持部３と固定対象９との位置関係が決まった状態で維持される。そして、保持部３は、前記位置固定された状態で、配線Ｗが固定対象９に対して長手方向に移動するのを規制すべく配線Ｗを保持するように構成されている。そのため、配線Ｗが保持部３に保持されると、配線Ｗの長手方向の移動が規制されるので、配線Ｗを固定対象９に対して動かない状態で拘束することができ、配線Ｗが固定対象９から外れるのを防止することができる。
【００６８】
また、保持具固定具６は、被固定部４と固定対象９又はベース部Ｂとを重ねて挟持する挟持部６０を備え、被固定部４を固定対象９又はベース部Ｂに固定することができる。そのため、保持具２とは別体の保持具固定具６によって被固定部４を固定対象９又はベース部Ｂに固定することができるので、保持具２自体に固定手段を設ける必要がなく、保持具２をシンプルな構造にすることができる。
【００６９】
また、上記実施形態では、保持部３は、被固定部４が固定対象９に固定されることで該固定対象９に対して位置固定されるので、ベース部Ｂという固定対象９とは別の箇所に被固定部４が固定される場合に比べて保持具２をコンパクトに形成することができる。
【００７０】
また、上記実施形態では、保持部３は、一対の把持片３１と、該一対の把持片３１を開閉させる把持操作部３２とを備えている。かかる構成によれば、作業者は、直接、又は間接活線工具によって把持操作部３２を保持した状態で一対の把持片３１を開状態にして配線Ｗの径方向から該配線Ｗに対して保持部３をアプローチさせ、続いて、一対の把持片３１の間に配線Ｗを位置させた状態で一対の把持片３１を閉状態とすることで、保持部３に配線Ｗを保持させることができる。そのため、上記構成の保持具２は、配線Ｗに対して保持部３を取り付け易いものとなっている。
【００７１】
また、上記実施形態では、保持部３は、配線Ｗを筐体９２の外側で保持するように構成され、被固定部４は、保持部３に連結固定され、配線Ｗが挿通された挿通孔Ｃが形成された面と同じ面上に固定されるように構成されている。そのため、配線Ｗが引っ張られる方向と被固定部４の固定面とが交差した状態となるので、配線Ｗが挿通孔Ｃから抜ける方向に引っ張られる力に対して固定力を効果的に発揮して、引っ張り力に抗することができる。
【００７２】
また、上記実施形態では、前記被固定部４は、一対の把持片３１のうちの少なくとも一方の把持片３１ａから、開閉方向外側に向かって延びているので、一対の把持片３１の開閉に伴って被固定部４が移動し、且つ該移動が、保持部３による配線Ｗの保持を邪魔しないようになっている。そのため、上記構成の保持具２は、配線Ｗに取り付け易い。
【００７３】
また、上記実施形態では、挟持部６０は、被固定部４と重ね対象としての固定対象９又はベース部Ｂとを重ねて挟持する際に、挟持部６０の凸部６１１が、カットアウト９の凹部９０１に対して嵌合係止するので、保持具固定具６が被固定部４及びカットアウト９から脱落し難くなっている。
【００７４】
また、上記実施形態では、被固定部４は、配線Ｗの挿通方向における端子側に向けて付勢された状態で筐体９２に対して固定されるので、配線Ｗが引っ張られる方向とは逆向きに付勢された状態となっている。そのため、上記構成の配線支持具１は、配線Ｗが引っ張られる力に対して逆向きに作用する付勢力（固定力）によって、引っ張り力に抗する力を効果的に発揮させることができる。
【００７５】
また、上記実施形態では、保持部３と被固定部４とが筐体９２の外側で同じ面上に配置されるので、保持部３及び被固定部４が配置される領域が、固定対象９の形状やベース部Ｂに対する固定状況によって制約され難い。そのため、上記構成の配線支持具１は、現場の状況に左右され難く、対応しやすいものとなっている。
【００７６】
また、上記実施形態では、作業者は、保持具２及び保持具固定具６を間接活線作業によってカットアウト９に取り付けることができるので作業者にとって安全性の高いものとなっている。
【００７７】
また、上記実施形態では、保持具２を複数準備しておくことで、一方の側面９２１ａから２本の配線Ｗが延出している場合も、一方の側面９２１ａ及び他方の側面９２１ｂのそれぞれから配線Ｗが延出している場合も、保持具２を配線Ｗに取り付けることができる。更に、挿通孔Ｃから延出している配線Ｗを別々の保持具２によって保持させることができるので、保持具２を様々な大きさの固定対象９に取り付けることができる。
【００７８】
尚、本発明の配線支持具１は、上記実施形態に限定されるものではなく、本発明の要旨を逸脱しない範囲内において種々変更を加え得ることは勿論である。
【００７９】
上記実施形態では、被固定部４を固定対象９としてのカットアウト９に固定する場合について説明したが、これに限定されるものではない。被固定部４は、例えば、ベース部Ｂとしての腕金Ｂに固定されてもよい。即ち、腕金Ｂは、カットアウト９を固定する部分であるので、被固定部４を腕金Ｂに固定することでも、保持具２をカットアウト９に対して位置固定させることができる。また、被固定部４は、端子台や配電盤等の、配線Ｗが接続される機器類であってもよい。この場合、端子台や配電盤等に接続される配線Ｗとしては、電線やケーブル等であってもよい。
【００８０】
また、上記実施形態では、配線支持具１がカットアウト９からの抜け止めに使用される場合について説明したが、これに限定されるものではない。配線支持具１は、例えば、高圧配電線から切り離された引下線Ｗを仮固定する際に使用されてもよい。即ち、保持具２で引下線Ｗを把持し、該保持具２を、保持具固定具６を介して腕金Ｂ等に仮固定してもよい。
【００８１】
上記実施形態では、保持具２を保持具固定具６によってカットアウト９に固定する場合について説明したがこれに限定されるものではない。保持具２は、例えば、被固定部４がコの字状の部材によって形成され、筐体９２を挟持するように構成されてもよい。また、被固定部４が筐体９２に対してネジ止めされるものであってもよい。更に、被固定部４は、接着手段等によって、筐体９２に接着固定されるものであってもよい。
【００８２】
上記実施形態では、把持部３０は、一対の把持片３１を備えることで、引下線Ｗを把持する場合について説明したが、これに限定されるものではない。把持部３０は、引下線Ｗに対して引っ掛けられることによって引下線Ｗを把持するフック状のものであってもよい。要は、把持部３０は、引下線Ｗが長手方向に移動するのを規制するように引下線Ｗをしっかりと保持できるように構成されていればよい。
【００８３】
上記実施形態では、第１保持具２ａ及び第２保持具２ｂを用いて、上下の引下線Ｗの抜け止めを実施する場合について説明したが、上下の引下線Ｗのうちの何れか一方に対して抜け止めすることもできる。即ち、第１保持具２ａ、第２保持具２ｂ、及び保持具固定具６がセットで使われる場合に限定されるものではなく、第１保持具２ａ及び第２保持具２ｂのうちの何れか一方と保持具固定具６とがセットで使われてもよい。
【００８４】
上記実施形態では、保持具固定具６が凸部６１１を備え、該凸部６１１がカットアウト９に形成された凹部９０１に嵌合係止する場合について説明したが、これに限定されるものではない。保持具２に凹部が形成され、凸部６１１は、保持具２の凹部に嵌合係止されてもよい。また、カットアウト９又は保持具２に凸部が形成され、保持具固定具６に凹部が形成されることで、保持具固定具６とカットアウト９又は保持具２とが嵌合係止するものであってもよい。更に、保持具固定具６が、被固定部４と腕金Ｂとを重ねて挟持する場合には、腕金Ｂに凹部や凸部が形成され、保持具固定具６は、腕金Ｂの凹部又は凸部と嵌合係止するように構成されていてもよい。
【００８５】
上記実施形態では、保持具２と、保持具固定具６とを備える配線支持具１について説明した。しかしながら、本発明は、保持具２の発明としても捉えることができる。また、本発明は、保持具固定具６の発明としても捉えることができる。
【符号の説明】
【００８６】
１…配線支持具、２…保持具、２ａ…一方の保持具（第１保持具）、２ｂ…他方の保持具（第２保持具）、３…保持部、３０…把持部、３００，３００ａ，３００ｂ…保持クリップ片、３１，３１ａ，３１ｂ…把持片、３０１，３０１ａ，３０１ｂ…規制部、３０２，３０２ａ，３０２ｂ…当接部、３０３，３０３ａ，３０３ｂ…突出片、３２…把持操作部、３２１，３２１ａ，３２１ｂ…操作片、３３…アーム部、３３１，３３１ａ，３３１ｂ…アーム、３４…把持付勢部、４…被固定部、４１…第１辺部、４２…第２辺部、５，７…回動軸、６…保持具固定具、６０…挟持部、６１，６１ａ，６１ｂ…挟持片、６１１，６１１ａ，６１１ｂ…凸部、６２…連結部、６２１，６２１ａ，６２１ｂ…連結片、６３…挟持操作部、６３１，６３１ａ，６３１ｂ…挟持操作片、６４…挟持付勢部、６５…開ロック機構、９…カットアウト（固定対象）、９２…筐体、９２３…筐体本体、９２２…蓋部、９２１，９２１ａ，９２１ｂ…側面、９０…突起片、９０１…凹部、Ｃ…挿通孔、Ｂ…腕金（ベース部）、Ｗ…引下線（配線）、Ｑ…配置領域
【図１】
2018133893.tif 000003
【図２】
2018133893.tif 000004
【図３】
2018133893.tif 000005
【図４】
2018133893.tif 000006
【図５】
2018133893.tif 000007
【図６】
2018133893.tif 000008
【図７】
2018133893.tif 000009
【図８】
2018133893.tif 000010
【図９】
2018133893.tif 000011
【図１０】
2018133893.tif 000012
【図１１】
2018133893.tif 000013
【図１２】
2018133893.tif 000014
【図１３】
2018133893.tif 000015